(57)【要約】【課題】ソフトキーを有する第一の筐体に対し表示部を有する第二の筐体を同一平面で回転して折り畳めるようにした折り畳み式携帯電話装置において、第二の筐体を回転して向きを変えたときにソフトキー用アイコンを第一の筐体上のソフトキーの物理的配置と同一となるように表示する折り畳み式携帯電話装置を提供する。【解決手段】第二の筐体の回転状態検出手段を設け、検出した回転状態によりソフトキー用アイコンを第一の筐体上のソフトキーの物理的配置と同一となるよう表示する。特に第一の筐体に複数列のソフトキーを設けたときにおいて、ソフトキーに対応する複数列のソフトキー用アイコンを第二の筐体に表示するとともに、第二の筐体を回転して向きを変えたときに、ソフトキー用アイコンの配置を第一の筐体に設けたソフトキーの配置と同じ配置で表示する。第二の筐体の向きが変わってもソフトキー用アイコンがどこに表示されているか分かる。【選択図】図１
2005260643.tif 000002
【特許請求の範囲】
【請求項１】
第一の筐体に対して表示部を有する第二の筐体を折り畳めるようにした折り畳み式携帯電話装置において、前記第一の筐体に複数列のソフトキーを設け、前記ソフトキーに対応する複数列のソフトキー用アイコンを前記第二の筐体の表示部に表示するとともに、前記表示部に表示するソフトキー用アイコンの配置を前記第一の筐体におけるソフトキーの物理的配置と相対的に同一とするようにした折り畳み式携帯電話装置。
【請求項２】
前記第一の筐体に少なくとも４つのソフトキーを上下左右に分散して設け、第二の筐体の表示部に分散して前記ソフトキーに対応するソフトキー用アイコンを表示するようにした請求項１に記載の折り畳み式携帯電話装置。
【請求項３】
前記第一の筐体に多方向キーを更に設け、前記多方向キーの上下または左右に複数列のソフトキーをそれぞれ分散して配置した請求項１または請求項２に記載の折り畳み式携帯電話装置。
【請求項４】
ソフトキーを有する第一の筐体に対して表示部を有する第二の筐体を同一平面で回転して折り畳めるようにした折り畳み式携帯電話装置において、
第二の筐体の回転状態検出手段を設け、
検出した回転状態によりソフトキー用アイコンを第一の筐体にあるソフトキーの物理的配置と同一となる位置に表示するよう構成したことを特徴とする折り畳み式携帯電話装置。
【請求項５】
第一の筐体に対して表示部を有する第二の筐体を同一平面で回転して折り畳めるようにした折り畳み式携帯電話装置において、前記第一の筐体に複数列のソフトキーを設け、前記ソフトキーに対応する複数列のソフトキー用アイコンを前記第二の筐体の表示部に表示するとともに、前記第二の筐体を前記第一の筐体について回転して前記第二の筐体の向きを変えたときに、前記第二の筐体の表示部に表示するソフトキー用アイコンの配置を前記第一の筐体におけるソフトキーの物理的配置と相対的に同一とするようにした請求項４に記載の折り畳み式携帯電話装置。
【発明の詳細な説明】
【技術分野】
【０００１】
本発明はソフトキーを備えた折り畳み式携帯電話装置に関する。
【背景技術】
【０００２】
近年、携帯電話装置はディジタルカメラを搭載したもの、インターネット接続機能をつけたもの等、多機能化が進んでいる。携帯電話装置の多機能化は多種類の入力操作を必要とすることから、特定のキーに複数の機能を割り付け、携帯電話装置の動作状態により特定のキーの機能をソフトウエア的に切り替えて使用する、いわゆるソフトキーを設けたものが実用化されている（例えば、特許文献１）。
【０００３】
従来のソフトキーを備えた折り畳み式携帯電話装置の外観図を図１６に示す。図１６に示す携帯電話装置は、第一の筐体１にヒンジ２を設け、ヒンジ２に第二の筐体３を開閉自在に支持した折り畳み式携帯電話装置として構成している。第一の筐体１には、電話番号等を入力するテンキー４と、各種機能のメニューについてカーソルを移動する多方向キー５と、ソフトキー６，７と、着信時に押すことによって通話を開始する通話開始キー８と、通話中に押すことによって通話を終了する終話キー９、そして送話器として音声を入力するマイクロフォン１０を設け、その他の無線通信手段や各種制御手段等を第一の筐体１内に収納している。第二の筐体３には、カラー液晶表示装置等からなる表示部１１、受話器として機能するスピーカー１２を設け、ヒンジ２の内部に電気的接続手段を通して第二の筐体の表示部１１とスピーカー１２を第一の筐体１内の制御手段と接続している。
【０００４】
なお、図１６に示す従来の携帯電話装置に電源が投入されると、前記ソフトキー６、７に物理的に近い位置にある表示部１１に、それぞれのソフトキーに対応したソフトキー用アイコン１６，１７を表示する。携帯電話装置の使用者は表示部１１に表示されたソフトキー用アイコン１６，１７を見て、現在割り付けられている機能を確認した上で、ソフトキー６またはソフトキー７を押して操作する。
【特許文献１】特開２０００−２５９３０４号公報（第４頁、第１図）
【発明の開示】
【発明が解決しようとする課題】
【０００５】
しかしながら、図１６に示したような従来の携帯電話装置では、第一の筐体１にあるソフトキー６、７と第二の筐体３に表示されるソフトキー用アイコン１６，１７の間が離れれば離れるほどソフトキー６、７とソフトキー用アイコン１６，１７の対応関係が見にくく、分かりにくくなる。特に、折り畳み式携帯電話装置では、第一の筐体１と第二の筐体３の間にヒンジ２を配置しなければならず、ソフトキー６、７とソフトキー用アイコン１６，１７がどうしても離れてしまうので、折り畳み式でないいわゆるストレートタイプの携帯電話装置以上にソフトキーの対応関係が分かりにくく、使いにくいという問題があった。
【０００６】
また、携帯電話装置の多機能化という観点からは、ソフトキーを一列だけでなく、複数の列に重ねて配置して、多くの入力機能を実現することが望ましいのであるが、ソフトキーを複数列にすることは押したいソフトキーの機能名がどこに表示されているかが更に分かりにくくなってしまう。
【０００７】
そして最近、折り畳み式携帯電話装置として第二の筐体を第一の筐体に対して同一平面で回転するタイプのものが実用化されているが、第二の筐体を第一の筐体に対して回転して第二の筐体の向きを変えると、第一の筐体にあるソフトキーの近くの第二の筐体の表示
部に表示していたソフトキー用アイコンが更に離れてしまい、縦横の関係も崩れてしまうという問題もあった。
【０００８】
本発明は、折り畳み式携帯電話装置であったとしても、ソフトキーとソフトキー用アイコンの対応関係が見やすいソフトキー付き携帯電話装置を提供することを第一の目的としている。
【０００９】
特に、現在操作している指を置いている位置との関連性から、押したいソフトキーの機能名がどこに表示されているかが分かる複数列のソフトキー付き携帯電話装置を提供することを第二の目的としている。
【００１０】
また本発明は、ソフトキーのある第一の筐体に対して、ソフトキー用アイコンを表示する表示部のある第二の筐体を同一平面で回転して向きを変えたときに、ソフトキーの配置とソフトキー用アイコンの配置が対応していて見やすいという同一平面で回転するタイプの折り畳み式携帯電話装置を提供することを第三の目的としている。
【課題を解決するための手段】
【００１１】
本発明は、第一の筐体に対して表示部を有する第二の筐体を折り畳めるようにした折り畳み式携帯電話装置において、第一の筐体に複数列のソフトキーを設け、ソフトキーに対応する複数列のソフトキー用アイコンを第二の筐体の表示部に表示するとともに、表示部に表示するソフトキー用アイコンの配置を第一の筐体におけるソフトキーの物理的配置と相対的に同一とする構成を採る。
【００１２】
この構成により、現在操作中の表示部の位置と、現在操作している指を置いている位置との関連性から、押したいソフトキー用アイコンがどこに表示されているかが容易に分かるという効果がある。
【００１３】
また本発明は、第一の筐体に少なくとも４つのソフトキーを上下左右に分散して設け、第二の筐体の表示部に分散してソフトキーに対応するソフトキー用アイコンを表示する構成を採る。
【００１４】
この構成によると、複数列のソフトキーであっても上下左右に配置したことによって、対応するソフトキー用アイコンがどこに表示されているかが容易に分かるという効果がある。
【００１５】
また本発明は、第一の筐体に多方向キーを更に設け、多方向キーの上下または左右に複数列のソフトキーをそれぞれ分散して配置した構成を採る。
【００１６】
この構成により、多方向キーとソフトキーとの位置関係により、ソフトキー用アイコンがどこに表示されているかが容易に分かるという効果がある。
【００１７】
更に本発明は、ソフトキーを有する第一の筐体に対して表示部を有する第二の筐体を同一平面で回転して折り畳めるようにした折り畳み式携帯電話装置において、第二の筐体の回転状態検出手段を設け、検出した回転状態によりソフトキー用アイコンを第一の筐体にあるソフトキーの物理的配置と同一となる位置に表示する構成を採る。
【００１８】
この構成により、表示部を設けてある第二の筐体を回転して、表示部の向きを変えたとしても、ソフトキーの物理的配置と表示部に表示するソフトキー用アイコンの配置が相対的に同一となるので、ソフトキーに対応するソフトキー用アイコンがどこに表示されているかが容易に分かるという効果がある。
【００１９】
また本発明は、第一の筐体に対して表示部を有する第二の筐体を同一平面で回転して折り畳めるようにした折り畳み式携帯電話装置において、第一の筐体に複数列のソフトキーを設け、ソフトキーに対応する複数列のソフトキー用アイコンを第二の筐体の表示部に表示するとともに、第二の筐体を第一の筐体について回転して第二の筐体の向きを変えたときに、第二の筐体の表示部に表示するソフトキー用アイコンの配置を第一の筐体におけるソフトキーの物理的配置と相対的に同一とする構成を採る。
【００２０】
この構成により、第一の筐体に複数列のソフトキーを設け、表示部を設けてある第二の筐体を回転して表示部の向きを変えたとしても、ソフトキーの物理的配置と表示部に表示するソフトキー用アイコンの配置が相対的に同一となるので、ソフトキーに対応するソフトキー用アイコンがどこに表示されているかが容易に分かるという効果がある。
【発明の効果】
【００２１】
本発明によれば、ソフトキーとソフトキー用アイコンの対応関係が見やすい複数列のソフトキー付き折り畳み式携帯電話装置を提供することができる。
【００２２】
特に、複数列のソフトキーを携帯電話装置に搭載したときに、現在操作中の表示部の位置と現在操作している指を置いている位置との関連性から、押したいソフトキー用アイコンがどこに表示されているかが容易に分かるという効果がある。
【００２３】
そして、第一の筐体に対して第二の筐体を同一平面で回転して折り畳めるようにした折り畳み式携帯電話装置において、第二の筐体を回転して表示部の向きを変えたとしても、ソフトキーに対応するソフトキー用アイコンの配置がソフトキーの配置と同じに保たれるので、ソフトキーに対応するソフトキー用アイコンがどこに表示されているかが容易に分かって操作しやすい携帯電話装置を得ることができるという効果がある。
【発明を実施するための最良の形態】
【００２４】
（実施の形態１）
以下、本発明の第一の実施の形態に係る携帯電話装置を図面と共に説明する。図１に、本発明の第一の実施の形態に係る携帯電話装置１００の筐体を開いた状態の外観図を示す。携帯電話装置１００では、第一の筐体１０１と第二の筐体１０２をヒンジ１０３で連結して第二の筐体１０２を第一の筐体１０１に対して開閉自在に支持している。第一の筐体１０１には、電話番号等を入力するテンキー１０４と、制御プログラムの各種メニューについてカーソルを移動する多方向キー１０５と、多方向キー１０５を中心とした上下左右にそれぞれソフトキー１０６，１０７、１０８、１０９を配置している。第一の筐体１０１には、更に送話器として音声を入力するマイクロフォン１１０を設け、その他に無線通信手段や各種制御手段等を第一の筐体１０１内に収納している。第一の筐体１０１には、図１６に示した従来の携帯電話装置のような、着信時に押すことによって通話を開始する通話開始キーと、通話中に押すことによって通話を終了する終話キーを設けていない。携帯電話装置１００では、これらの通話キー、終話キーはそれぞれソフトキー１０８、１０９のそれぞれの一つの機能として割り付けている。第二の筐体１０２には、カラー液晶表示装置等からなる表示部１１１、受話器として機能するスピーカー１１２を設け、ヒンジ１０３の内部に図示しない電気的接続手段を通して第二の筐体の表示部１１１とスピーカー１１２を第一の筐体１０１内の制御手段に接続している。
【００２５】
携帯電話装置１００に電源が投入されると、表示部１１１に、ソフトキー１０６，１０７、１０８、１０９の物理的配置に対応したソフトキー用アイコン１１６、１１７、１１８、１１９を表示する。表示内容については、携帯電話装置１００の使用状態あるいは通信状態に応じて第一の筐体１０１内の制御手段が、各ソフトキーに割り付ける機能を決定
して、割り付けた機能に対応するソフトキー用アイコンを表示するようにしている。
【００２６】
図２に、携帯電話装置１００の制御動作の一部をフローチャートとして示す。携帯電話装置１００に電源を投入すると（ステップＳ１）、第一の筐体１０１内の無線通信手段が起動し、携帯電話網の基地局と制御信号を間欠送受信する着信待ち受け状態となる（ステップＳ２）。着信待ち受け状態になると、携帯電話装置１００の制御手段は各ソフトキーに対して着信待ち受け状態時のキー割り付けを行う（ステップＳ３）。具体的には、ソフトキー１０６を「電話帳検索キー」に、ソフトキー１０７を「発／着信履歴キー」に、ソフトキー１０８を「受信メール表示キー」に、ソフトキー１０９を「電源オン／オフキー」に割り付け、それぞれ割り付けた機能に対応するソフトキー用アイコン１１６、１１７、１１８、１１９を表示する。着信があると（ステップＳ４）、制御手段は各ソフトキーのキー割り付けを着信時のキー割り付けに切り替える（ステップＳ５）。すなわち、ソフトキー１０６は着信状態のまま着信音だけを消す「ミュートキー」に、ソフトキー１０７は回線を保留する「保留キー」に、ソフトキー１０８は「通話キー」に、ソフトキー１０９は「終話キー」に切り替える。携帯電話装置１００の使用者は、ソフトキー１０８を押して通話を始めることができる（ステップＳ６）。通話が始まると、制御手段は、ソフトキーのキー割り付けを通話中のキー割り付けに切り替える。具体的には、通話開始という機能を果たしたソフトキー１０８について「通話キー」から「通話録音キー」に切り替え、他のソフトキーについては引き続き、ソフトキー１０６は「ミュートキー」として、ソフトキー１０７も「保留キー」として、ソフトキー１０９も「終話キー」として割り付けている（ステップＳ７）。通話中にソフトキー１０９が押されると終話し（ステップＳ８）、再び着信待ち受け状態に戻る（ステップＳ２）。
【００２７】
図２のフローチャートのステップＳ４で着信がないときに、テンキー１０４が押されて電話番号が入力されると（ステップＳ９）、制御手段は、ソフトキーのキー割り付けを電話番号入力時のキー割り付けに切り替える（ステップＳ１０）。すなわち、ソフトキー１０６を「メニューキー」に、ソフトキー１０７を「戻りキー」に、ソフトキー１０８を「発信キー」に、ソフトキー１０９を「クリアキー」に割り付ける。携帯電話装置１００の使用者は、テンキー１０４で電話番号を入力した後、「発信キー」に割り付けてあるソフトキー１０８を押して発信することができる（ステップＳ１１）。携帯電話装置２００が発信すると、制御手段は、少なくともソフトキー１０９を「終話キー」に切り替えた発信時のキー割り付けに変更するようにしている（ステップＳ１２）。
【００２８】
本発明の携帯電話装置１００は、従来の携帯電話装置に設けていた通話キー８と終話キー９をソフトキー１０８、１０９に置き換えて使用している。そして、従来の携帯電話装置では表示部１１に２つのソフトキー用アイコン１６、１７を表示していたのに対して、携帯電話装置１００ではソフトキー用アイコン１１６、１１７と、ソフトキー用アイコン１１８、１１９の計４つの複数列のソフトキーを表示している。携帯電話装置１００では、電源を投入しただけの着信待ち受け状態では着信待ち受け状態で使用する４つのキーを割り付け、通話キーや終話キーをソフトキーに割り付けていないが、着信があると、ソフトキー１０８を通話キーに、ソフトキー１０９を終話キーに割り付けて、通話開始あるいは終話の操作ができるようにしている。
【００２９】
本発明によれば、第一の筐体に複数列のソフトキーを配置し、表示部には複数列のソフトキーの配置と同じ配置で対応するソフトキー用アイコンを表示するようにしたので、現在操作中の表示部の位置と、現在操作している指を置いている位置との関連性から、押したいソフトキー用アイコンがどこに表示されているかが容易に分かる。
【００３０】
また、携帯電話装置１００では、通話キー、終話キーをソフトキーとしたことにより、携帯電話装置の操作キーの全体の数を増やすことなく、ソフトキーの数を増やしている。
ソフトキーは、多くの機能を割り付けることができるので、多様なキー入力操作ができることになり操作性が飛躍的に向上するという利点がある。
【００３１】
（実施の形態２）
次に、本発明の第二の実施の形態に係る携帯電話装置を図面を用いて説明する。第二の実施の形態に係る携帯電話装置は、既に説明した第一の実施の形態に係る携帯電話装置１００のソフトキーを６ケに増やしたものである。多方向キー１２５の上にソフトキー１３１、１３２、１３３を、多方向キー１２５の下に１３４、１３５、１３６をそれぞれ３ケづつ配置している。そして、第二の筐体１０２の表示部１１１の上方には、ソフトキー１３１、１３２、１３３に対応するソフトキー用アイコン１５１、１５２、１５３を、第二の筐体１０２の表示部１１１の下方には、ソフトキー１３４、１３５、１３６に対応するソフトキー用アイコン１５４、１５５、１５６を表示している。
【００３２】
また、図４に示した携帯電話装置は、図３の携帯電話装置とは違って、多方向キー１２５の左側にソフトキー１４１、１４２、１４３を配置し、多方向キー１２５の右側にソフトキー１４４、１４５、１４６を配置した構成を示す。図４の第二の筐体１０２の表示部１１１の左側には、ソフトキー１４１、１４２、１４３に対応するソフトキー用アイコン１８１、１８２、１８３を、第二の筐体１０２の表示部１１１の右側には、ソフトキー１４４、１４５、１４６に対応するソフトキー用アイコン１８４、１８５、１８６を表示しするようにしている。
【００３３】
図３または図４に示した第二の実施の形態に係る携帯電話装置では、ソフトキーが６ケに増え、多様なキー入力が可能になっている。それでいて、ソフトキーの物理的配置とソフトキー用アイコンの配置を同じにしているので、現在操作中の表示部の位置と、現在操作している指を置いている位置との関連性から、押したいソフトキー用アイコンがどこに表示されているかが容易に分かるという効果が得られる。
【００３４】
また図３と図４に示した携帯電話装置では、６ケのソフトキーを表示しているが、第一の筐体にソフトキーを上下左右に分散して設け、第二の筐体の表示部に分散してソフトキーに対応するソフトキー用アイコンを表示する構成を採っているので、複数列のソフトキーであっても上下左右に配置したことによって、対応するソフトキー用アイコンがどこに表示されているかが容易に分かるという効果がある。
【００３５】
（実施の形態３）
次に、本発明の第三の実施の形態に係る携帯電話装置について説明する。図５に本発明の第三の実施の形態に係る携帯電話装置を示す。図５では、センターキー１２６の周囲、八方向にソフトキー１７１、１７２、１７３、１７４、１７５、１７６、１７７、１７８を配置している。第二の筐体１０２には、表示部１１１に９つのランチャーアイコンを表示している。第三の実施の形態に係る携帯電話装置では、センターキー１２６と８つのソフトキーの物理的な配置が表示部１１１のランチャーアイコンと対応しているので、現在操作している指を置いている位置との関連性から、押したいソフトキー用アイコンがどこに表示されているかが容易に分かるという効果が得られる。
【００３６】
（実施の形態４）
以上、実施の形態１から実施の形態３については、第一の筐体と第二の筐体をヒンジで開閉自在に結合した折り畳み式携帯電話装置に複数列のソフトキーを用いた場合を説明したが、本発明の第四の実施の形態に係る携帯電話装置として、第二の筐体を第一の筐体に対して同一平面で回転するタイプの折り畳み式携帯電話装置について説明する。
【００３７】
図６に、本発明の第四の実施の形態に係る折り畳み式携帯電話装置２００の筐体を開い
たときの外観図を示す。折り畳み式携帯電話装置２００は、第一の筐体２０１の周囲に第二の筐体２０２を回転させることができる折り畳み式携帯電話装置として構成している。すなわち、第一の筐体２０１の上方の裏側には回転部２５０を第一の筐体２０１の背面で、図６中の矢印のように回転可能に支持している。そして、回転部２５０の左側の側面に内部に貫通孔をもつ第一の支軸２５１を設け、第一の支軸２５１に同じく貫通孔をもつアーム２５２を回転自在に支持し、アーム２５２の他端を第二の筐体２０２の側面に設けた貫通孔を有する第二の支軸２５３に連結して、第二の筐体２０２を第一の筐体２０１に対して開閉可能かつ水平方向に回転可能にしている。
【００３８】
第一の筐体２０１にはテンキー２０４、多方向キー２０５、ソフトキー２０６、２０７、２０８、２０９と、送話器として機能するマイクロフォン２１０を設けている。第二の筐体２０２には、表示部２１１と受話器として機能するスピーカー２１２を設けている。第二の筐体２０２の表示部２１１とスピーカー２１２は、第一の筐体２０１内の制御手段と第一の支軸２５１、アーム２５２、第二の支軸２５３のそれぞれの貫通孔に細いフレキシブルプリント基板等の電気的接合手段を通して接合している。携帯電話装置２００に電源が投入されると、第二の筐体２０２の表示部２１１にはソフトキー２０６、２０７、２０８、２０９にそれぞれ対応するソフトキー用アイコン２１６、２１７、２１８、２１９を表示する。図６では、ソフトキー２０６に対応してソフトキー用アイコン２１６が、ソフトキー２０７に対応してソフトキー用アイコン２１７が、ソフトキー２０８に対応してソフトキー用アイコン２１８が、ソフトキー２０９に対応してソフトキー用アイコン２１９がそれぞれ表示される。なお、各ソフトキーに割り付けられる機能は第一の実施の形態に係る携帯電話装置について既に説明したとおり、携帯電話装置の動作状態、あるいは通信状態に応じて割り付けている。
【００３９】
図７と図８に、携帯電話装置２００の側面図を示す。図７は、第二の筐体２０２を開いたときの側面図を、図８は、第二の筐体２０２を閉じたときの側面図を示す。第一の筐体２０１の背面で回転可能な回転部２５０に第一の支軸２５１があり、第一の支軸２５１にアーム２５２が取り付けてあり、アーム２５２の他端が第二の筐体２０２に取り付けてある第二の支軸２５３に連結してある。アーム２５２は第一の支軸２５１について図７のＡ矢印のように回転して、第二の筐体２０２が第一の筐体２０１に対して開閉可能になっている。
【００４０】
図９に、第二の筐体２０２を第一の筐体２０１に対して閉じたときの平面図を示す。第二の筐体２０２の表示部２１１と第一の筐体２０１のテンキー２０４が向きあっている様子が理解されよう。携帯電話装置２００の通常の使い方としては、図９のように第二の筐体２０２を閉じた状態で携行し、通話等の使用時には第一の筐体２０１を図６のように開いて使用する。なお、表示部２１１を横向きにして使用したいときは、図６のように第一の筐体２０１を開いた状態から、例えば図１０のように第二の筐体２０２をＢ矢印のように左へ９０度回転したり、図６の状態から図１１のように、第二の筐体２０２をＣ矢印のように右へ９０度回転したりして使用できるようにしている。なお、図１１の状態から、第二の筐体２０２を更に右へ９０度回転させ、第二の筐体２０２を第一の筐体２０１の上に重ねて、図１２のように表示部２１１を上向きにした状態で使用することも出来る。携帯電話装置２００では、図示していないが第一の筐体内に、回転部２５０の第一の筐体２０１に対する回転状態検出手段を設け、回転部２５０を回転することにより、図１０、図１１、図１２のように第二の筐体を回転させたときに、表示部２１１に表示するソフトキー用アイコンの配置が、第一の筐体上のソフトキーの物理的な配置と同じになるよう表示を切り替える制御を行っている。そのため、現在操作中の表示部の位置と、現在操作している指を置いている位置との関連性から、押したいソフトキー用アイコンがどこに表示されているかが容易に分かるという効果がある。参考までに図１３に第二の筐体２０２を開いたとき、左に回転したとき、右に回転したとき、第一の筐体２０１の上に第二の筐体２
０２を重ねたときの各表示状態をまとめて示す。第二の筐体２０２を第一の筐体２０１に対して、単に開いたとき、左に９０°回転したとき、右に９０°回転したとき、そして更に右に９０°回転したときのそれぞれにおいて、ソフトキー２０６、２０７、２０８、２０９に対応するソフトキー用アイコンの向きが一方向に揃っていて、第一の筐体２０１に設けてあるソフトキーの配置が常に表示部２１１に表示されているソフトキー用アイコンと一対一の関係が保たれることが理解されよう。
【００４１】
なお、携帯電話装置２００の内部構成について、図１４に携帯電話装置２００のブロック図を示す。図１４では、携帯電話装置２００の第一の筐体２０１と第二の筐体２０２とアーム２５２を破線で示し、それぞれに設けられている機能ブロックを示している。第一の筐体２０１には、テンキーや多方向キーなどのキー操作部２１４、ソフトキー２１６がマイクロコンピュータを用いた全体制御部２２７に接続されており、送話器としてのマイクロフォン２１０が音声処理部２２０を介して全体制御部２２７に接続している。無線通信手段を形成する無線制御手段２２１、受信部２２２、送信部２２３とアンテナ２２４も全体制御部２２７に接続している。また、全体制御部２２７には、記憶手段２２６と、回転状態検出手段２２５を接続していて、アーム２５２の回転状態を検出するようにしている。記憶手段２２６には各種制御プログラムの他、ソフトキー用アイコンを表示するためのデータが記憶されている。第二の筐体２０２には、表示部２１１と受話器として機能するスピーカー２１２が配置されている。アーム２５２には第二の筐体２０２の表示部２１１とスピーカー２１２を電気的に接続する接続手段が通っている。このように携帯電話装置２００を構成しているので、第二の筐体２０２が開くと、または第二の筐体２０２が回転部２５０により第一の筐体２０１に対して回転すると、回転状態検出手段２２５が状態を検出して、全体制御手段２２７が、アーム２５２の回転状態に応じたソフトキー用アイコンを表示部２１１に表示する。そして、ソフトキー２１６が押されると、押されたソフトキーに割り付けられているキー入力がされたとして携帯電話装置２００の動作制御、あるいは通信制御を行う。
【００４２】
図１５に、携帯電話装置２００について、回転状態検出手段２２５により検出した回転部２５０の第一の筐体に対する回転状態検出結果に応じて、全体制御手段２２７がソフトキー用アイコンの表示状態を切り替えるときのフローチャートを示す。携帯電話装置２００に電源が投入され（Ｓ２１）、着信待ち受け状態となった後（ステップＳ２２）、アーム２５２が回転部２５０に対してどの方向を向いているかによってソフトキー用アイコンの向きを変えている。すなわち、アーム２５２が図１０のように左を向いているときは（ステップＳ２３）、左向きのときのキー配列で表示し（ステップＳ２４）、アーム２５２が図６のように上向きのときは（ステップＳ２５）、上向きのときのキー配列で表示し（ステップＳ２６）、アーム２５２が図１１のように右向きのときは（ステップＳ２７）、右向きのときのキー配列で表示し（ステップＳ２８）、アーム２５２が図１２のように右下向きのときは（ステップＳ２９）、右下向きのときのキー配列で表示する（ステップＳ３０）。なお、アーム２５２が図９のように左下向きのときは（ステップＳ３１）、第二の筐体２０２が閉じていることになるので、ソフトキー用アイコンの表示を消すようにしている（ステップＳ３２）。
【００４３】
以上説明したように、第四の実施の形態に係る携帯電話装置２００によれば、第二の筐体２０２が第一の筐体に対して回転して、向きが変わったとしても、ソフトキーの物理的配置とソフトキー用アイコンの配置が相対的に同一なので、現在操作している指を置いている位置との関連性から、押したいソフトキー用アイコンがどこに表示されているかが容易に分かるという効果が得られる。
【産業上の利用可能性】
【００４４】
本発明に係る携帯電話装置は、複数列のソフトキー用いて多様なキー入力を行う情報処
理装置として有用であり、携帯電話装置の他にＰＤＡ（Ｐｅｒｓｏｎａｌ  Ｄｉｇｉｔａｌ  Ａｓｓｉｓｔａｎｃｅ）をはじめ、ノートパソコン、携帯ゲーム器等に適用することが出来る。
【図面の簡単な説明】
【００４５】
【図１】本発明の第一の実施の形態に係る折り畳み式携帯電話装置の外観図
【図２】本発明の第一の実施の形態に係る折り畳み式携帯電話装置の制御動作のフローチャート
【図３】本発明の第二の実施の形態に係る折り畳み式携帯電話装置の外観図
【図４】本発明の第二の実施の形態に係る折り畳み式携帯電話装置の外観図
【図５】本発明の第三の実施の形態に係る折り畳み式携帯電話装置の外観図
【図６】本発明の第四の実施の形態に係る折り畳み式携帯電話装置の外観図
【図７】本発明の第四の実施の形態に係る折り畳み式携帯電話装置の側面図
【図８】本発明の第四の実施の形態に係る折り畳み式携帯電話装置の側面図
【図９】本発明の第四の実施の形態に係る折り畳み式携帯電話装置の外観図
【図１０】本発明の第四の実施の形態に係る折り畳み式携帯電話装置の外観図
【図１１】本発明の第四の実施の形態に係る折り畳み式携帯電話装置の外観図
【図１２】本発明の第四の実施の形態に係る折り畳み式携帯電話装置の外観図
【図１３】本発明の第四の実施の形態に係る折り畳み式携帯電話装置の表示状態を例示的に示した概念図
【図１４】本発明の第四の実施の形態に係る折り畳み式携帯電話装置のブロック図
【図１５】本発明の第四の実施の形態に係る折り畳み式携帯電話装置の制御動作のフローチャート
【図１６】従来の折り畳み式携帯電話装置の外観図
【符号の説明】
【００４６】
１０１  第一の筐体
１０２  第二の筐体
１０３  ヒンジ
１０４  テンキー
１０５  多方向キー
１０６、１０７、１０８、１０９  ソフトキー
１１０  マイクロフォン
１１１  表示部
１１２  スピーカー
１１６、１１７，１１８、１１９  ソフトキー用アイコン
【図１】
2005260643.tif 000003
【図２】
2005260643.tif 000004
【図３】
2005260643.tif 000005
【図４】
2005260643.tif 000006
【図５】
2005260643.tif 000007
【図６】
2005260643.tif 000008
【図７】
2005260643.tif 000009
【図８】
2005260643.tif 000010
【図９】
2005260643.tif 000011
【図１０】
2005260643.tif 000012
【図１１】
2005260643.tif 000013
【図１２】
2005260643.tif 000014
【図１３】
2005260643.tif 000015
【図１４】
2005260643.tif 000016
【図１５】
2005260643.tif 000017
【図１６】
2005260643.tif 000018